(57)【要約】【課題】足の左右方向のブレを抑制する足の支持部材を提供すること。【解決手段】延伸された熱可塑性樹脂からなる線条体により形成された布状体が複数枚積層され加熱圧縮された積層体を用いて形成されてなり、履物を履いた足の甲の左側及び右側の何れか一方又は両方を支持して、当該足の左右方向のブレを抑制する方形状の支持部材１であることを特徴とし、好ましくは、履物を履いた足の甲の左側及び右側の両方を支持して、当該足の左右方向のブレを抑制する一対又は二対以上の方形状の支持部材１であること。【選択図】図１
2020185340.tif 000002
【特許請求の範囲】
【請求項１】
延伸された熱可塑性樹脂からなる線条体により形成された布状体が複数枚積層され加熱圧縮された積層体を用いて形成されてなり、
履物を履いた足の甲の左側及び右側の何れか一方又は両方を支持して、当該足の左右方向のブレを抑制する方形状の支持部材であることを特徴とする足の支持部材。
【請求項２】
履物を履いた足の甲の左側及び右側の両方を支持して、当該足の左右方向のブレを抑制する一対又は二対以上の方形状の支持部材であることを特徴とする請求項１記載の足の支持部材。
【請求項３】
履物のソール部の中足部の位置に設けられるか、又は該中足部からつま先側の前足部まで延出した位置に設けられるか、あるいは該中足部から踵側の後足部まで延出した位置に設けられることを特徴とする請求項１又は２記載の足の支持部材。
【請求項４】
延伸された熱可塑性樹脂からなる線条体により形成された布状体が複数枚積層され加熱圧縮された積層体を用いて形成されてなり、
履物を履いた足の甲の左側から上部及び右側に渡って支持して、当該足の左右方向のブレを抑制する一条又は二条の帯状の支持部材であることを特徴とする足の支持部材。
【請求項５】
履物のソール部の前足部、中足部又は後足部の何れかに設けられるか、前足部から中足部に跨って、あるいは中足部から後足部に跨って設けられることを特徴とする請求項４記載の足の支持部材。
【請求項６】
帯状の支持部材が、一条に形成されることを特徴とする請求項４又は５記載の足の支持部材。
【請求項７】
帯状の支持部材が、平行な二条に形成されることを特徴とする請求項４記載の足の支持部材。
【請求項８】
帯状の支持部材が、二条に形成され、更に交差して形成されることを特徴とする請求項４記載の足の支持部材。
【発明の詳細な説明】
【技術分野】
【０００１】
本発明は、足の支持部材に関し、詳しくは足の左右方向のブレを抑制する足の支持部材に関する。
【背景技術】
【０００２】
バスケットボールやテニス等のスポーツでは、走行中の急転回、急停止、ジャンプや着地動作が頻繁に行われる。これらの動作時では、足の動きに靴が追従できず、靴に対して足が左右方向にブレてしまうことがある。
【先行技術文献】
【特許文献】
【０００３】
【特許文献１】特願２００７−１３５８２４号公報
【０００４】
特許文献１には、足の自由な屈曲を妨げにくく、かつ、足の左右方向のブレを抑制し得るアスレチックシューズが開示されている。このアスレチックシューズでは、アウターソールとミッドソールとの間に、基板部及び巻上部を有するスタビライザーが設けられている。
【０００５】
スタビライザーは、基板部が足の前後方向に伸縮することで、アウターソールの屈曲性を向上させている。一方、スタビライザーには、基板部から上方に巻き上がる巻上部が形成されている。巻上部は、アッパーにおいて外足側の側面に接着される突出部分を有している。
【０００６】
このスタビライザーの突出部分は、アッパー部を介してシューレースによって足の外形に沿って引き付けられている。これにより、スタビライザーの巻上部が足に引き付けられ、靴に対して足が左右方向にブレてしまうことを抑制しようとする。
【発明の概要】
【発明が解決しようとする課題】
【０００７】
しかしながら、このスタビライザーは、アウターソールやミッドソールよりも硬い樹脂で形成されているので、シューレースをきつく締めあげてスタビライザーの巻上部を足にフィットさせる必要がある。しかしながら、シューレースをきつく締めあげると、足が締め付けられ、長時間の装用が難しくなる。一方、シューレースの締め付け具合が緩いと、スタビライザーの巻上部が足にフィットせず、瞬間的な方向転換の際、靴の中で足が左右方向にブレてしまう虞があった。
【０００８】
そこで、本発明の課題は、足の左右方向のブレを抑制する足の支持部材を提供することにある。
【０００９】
本発明の他の課題は、以下の記載により明らかとなる。
【課題を解決するための手段】
【００１０】
上記課題は、以下の各発明によって解決される。
【００１１】
１．
延伸された熱可塑性樹脂からなる線条体により形成された布状体が複数枚積層され加熱圧縮された積層体を用いて形成されてなり、
履物を履いた足の甲の左側及び右側の何れか一方又は両方を支持して、当該足の左右方向のブレを抑制する方形状の支持部材であることを特徴とする足の支持部材。
２．
履物を履いた足の甲の左側及び右側の両方を支持して、当該足の左右方向のブレを抑制する一対又は二対以上の方形状の支持部材であることを特徴とする前記１記載の足の支持部材。
３．
履物のソール部の中足部の位置に設けられるか、又は該中足部からつま先側の前足部まで延出した位置に設けられるか、あるいは該中足部から踵側の後足部まで延出した位置に設けられることを特徴とする前記１又は２記載の足の支持部材。
４．
延伸された熱可塑性樹脂からなる線条体により形成された布状体が複数枚積層され加熱圧縮された積層体を用いて形成されてなり、
履物を履いた足の甲の左側から上部及び右側に渡って支持して、当該足の左右方向のブレを抑制する一条又は二条の帯状の支持部材であることを特徴とする足の支持部材。
５．
履物のソール部の前足部、中足部又は後足部の何れかに設けられるか、前足部から中足部に跨って、あるいは中足部から後足部に跨って設けられることを特徴とする前記４記載の足の支持部材。
６．
帯状の支持部材が、一条に形成されることを特徴とする前記４又は５記載の足の支持部材。
７．
帯状の支持部材が、平行な二条に形成されることを特徴とする前記４記載の足の支持部材。
８．
帯状の支持部材が、二条に形成され、更に交差して形成されることを特徴とする前記４記載の足の支持部材。
【発明の効果】
【００１２】
本発明によれば、足の左右方向のブレを抑制する足の支持部材を提供することができる。
【図面の簡単な説明】
【００１３】
【図１】第１の実施形態に係る方形状の足の支持部材を示す斜視図
【図２】図２（ａ）は同上の方形状の足の支持部材素を構成する積層体の斜視図、図２（ｂ）は図２（ａ）の積層体から形成される方形状の足の支持部材の斜視図
【図３】（ａ）及び（ｂ）は、方形状の足の支持部材の作用を説明する図
【図４】（ａ）は、足の甲の両側に方形状の支持部材を配置した状態において、ジャンプ後着地前の状態を示す断面図であり、（ｂ）は、図４（ａ）において、着地した状態を示す断面図
【図５】履物の一例である靴の方形状の足の支持部材の他の例を示す斜視図
【図６】図６（ａ）、図６（ｂ）、図６（ｃ）は方形状の足の支持部材の更に他の一例を説明する図
【図７】図７（ａ）は積層体の裁断片の斜視図、図７（ｂ）は図７（ａ）の裁断片から形成される方形状の足の支持部材の更にその他の例の斜視図
【図８】方形状の足の支持部材を袋状体内部に配置した例を示す図
【図９】本発明の帯状の足の支持部材をサンダルに適用した例の図
【図１０】サンダルの後足部に湾曲させた帯状の足の支持部材を設けた実施形態を示す図
【図１１】サンダルの後足部から中足部にかけて延び、全体を湾曲させた対の帯状の足の支持部材を交差させて設けた実施形態の図
【図１２】サンダルの後足部に設けた帯状の足の支持部材により踵を保持する構成の実施形態を示す図
【図１３】サンダルの複数部位に、湾曲させた帯状の足の支持部材を用いた実施形態を示す図
【図１４】帯状の足の支持部材で足首を支持する実施形態を示す図
【図１５】ショートブーツ等のトップラインに帯状の足の支持部材を用いた実施形態を示す図
【図１６】スノーブーツに足の支持部材を適用した一例の実施形態を示す図
【図１７】線条体の構造例を説明する図
【図１８】積層体の形成方法を説明する図
【発明を実施するための形態】
【００１４】
本発明に係る足の支持部材の一実施形態を図面に基づいて説明する。
【００１５】
図１は第１の実施形態に係る方形状の足の支持部材を示す斜視図である。図１に示す態様は、方形状の足の支持部材を右足に用いた例を示している。
【００１６】
本実施形態において、支持部材１は、履物の一例である靴の内足側に配置される内側支持部材１０と、靴の外足側に配置される外側支持部材１１とによって構成されている。
【００１７】
本発明において、支持部材１は、内側支持部材と外側支持部材の何れか一方であってもよいし、内側支持部材と外側支持部材の二つを組み合わせて構成されてもよい。以下、内側支持部材と外側支持部材の二つを組み合わせた例について説明する。
【００１８】
支持部材１は、図示しない靴のアッパー部材に装着され、当該靴を履いた状態で、足の甲の左側及び右側を支持する部材であり、履物が支持部材１を備えることにより、靴を履いた状態の足に対するフィット感を向上でき、足の靴に対するホールド感を向上させるだけでなく、足の左右方向のブレを抑制することができる。
【００１９】
支持部材１を設ける位置は、図示のように、靴のソール部３の中足部３２の位置に設けられていることが好ましい。また、中足部３２からつま先側の前足部３１まで延出した位置に設けられてもよいし、中足部３２から踵側の後足部３３まで延出した位置に設けられてもよい。
【００２０】
また、支持部材１のつま先から踵方向の長さは、中足部３２から、つま先側の前足部３１や、踵側の後足部３３に延出していてもよいし、中足部３２より短くてもよいし、長くてもよい。
【００２１】
支持部材１をアッパー部材に装着するに際しては、アッパー部材の内側に着脱可能に固定してもよいし、アッパー部材の外側に着脱可能に固定してもよいし、アッパー部材の内部に挿着してもよい。また、支持部材１は、靴のアッパー部材の内側に装着する場合、支持部材１の周囲を布等の柔らかい素材で覆うことが好ましい。
アッパー部材の内部に挿着するには、アッパー部材を袋状に形成し、その内部に、支持部材１を挿入して、固定するようにしてもよい。
【００２２】
次に、支持部材の製造方法について、図面に基づいて説明する。
図２（ａ）は、足の支持部材を製造する材料となる積層体の裁断片の斜視図であり、図２（ｂ）は、図２（ａ）の積層体から形成される足の支持部材の斜視図である。
【００２３】
図２（ａ）において、積層体４は、熱可塑性樹脂を延伸して得られた線条体を用いて形成された布状体を複数枚積層させて加熱圧縮して得られたものを方形状に裁断したものである。
【００２４】
積層体４において、仮想の折曲領域４ａの高さ方向の上下には、上部領域４ｂと下部領域４ｃが画定されている。
【００２５】
積層体４は、仮想の折曲領域４ａに所定の型を置けば、加熱・押圧することにより折り曲げて、図２（ｂ）に示す方形状の支持部材１が形成される。
【００２６】
本発明に係る支持部材の作用を、図３に基づいて説明する。図３（ａ）の例では、足５の甲部分の内足側には内側支持部材１０が配置され、外足側には外側支持部材１１が配置されている。
【００２７】
図３（ａ）に示すように、足５の甲部分は、矢印Ｂの方向である内側支持部材１０側に移動すると、内側支持部材１０と接する。その結果、足５の甲部分が、内側支持部材１０を押圧した状態となる。
【００２８】
足５の甲部分は、歩行又は走行する際の足の機能として、踵の外側から着地し、着地後足を内側によじるプロネーション動作を行い、矢印Ｂの方向である内側支持部材１０側へ移動する。本来は、プロネーション動作では、着地時に足に加わる衝撃を緩和するように動作する。しかし、過度に足５の甲部分が矢印Ｂの方向へ移動してしまう場合があり、足を痛める可能性がある。
【００２９】
この場合、内側支持部材１０が、足５の甲部分に押圧されるように配置されていると、図３（ｂ）に示すように、内側支持部材１０には、足５の甲部分に対して外足方向に押し戻そうとする反発力Ｆ１が生じる。つまり、内側支持部材１０が、内足方向への動きを止めるように足５の甲部分を支持する。これにより、内側支持部材１０が、足の左右方向のブレを抑制することができる。この結果、内側支持部材１０により、足の甲部分の過度のよじれを防止できるため、足の甲部分の怪我や故障を低減できる。
【００３０】
上記の説明では、内側支持部材１０の作用について説明したが、歩行又は走行する際、足の接地時の状態によっては体のバランスを崩し、足の甲部分が外側へよじれる場合がある。足の甲部分が外側によじれると、足の甲部分を痛めるだけでなく、転倒の危険性も生じる。
この場合、内側支持部材１０が、足５の甲部分に押圧されるように配置されていると、図３（ｂ）に示すように、内側支持部材１０には、よじれた足５の甲部分に対して外足方向に押し戻そうとする反発力Ｆ１が生じる。つまり、内側支持部材１０が、内足方向への動きを止めるように足５の甲部分を支持する。これにより、内側支持部材１０が、足の左右方向のブレを抑制することができる。この結果、内側支持部材１０により、足の甲部分の過度のよじれを防止できるため、足の甲部分の怪我や故障を低減できる。
【００３１】
この場合、外側支持部材１１が、足５の甲部分に押圧されるように配置されていると、外側支持部材１１には、よじれた足５の甲部分を内足方向に押し戻そうとする反発力が生じる。つまり、外側支持部材１１が、外足方向への動きを止めるように足５の甲部分を支持する。これにより、外側支持部材１１が、足の左右方向のブレを抑制することができる。この結果、外側支持部材１１により、足の甲部分の過度のよじれを防止できるため、足の甲部分の怪我や故障を低減できる。
【００３２】
上述のように、足５の甲部分の両側に、内側支持部材１０、及び外側支持部材１１が配置されていることにより、足５の甲部分が左右方向の何れによじれた場合であっても、足５の甲部分の過度のよじれを防止できる。つまり、内側支持部材１０、及び外側支持部材１１により、足の左右方向へのブレを抑制するように支持することが可能となるため、足５の甲部分の方向転換する動作時間を短縮することができる。特に、左右方向への動作を必要とする運動、スポーツに適している。
【００３３】
次に、ジャンプ後の着地時の足の左右方向の過度のよじれを防止する作用について図４に基づいて説明する。図４（ａ）は、足の甲の両側に支持部材を配置した状態において、ジャンプ後着地前の状態を示す断面図であり、図４（ｂ）は図４（ａ）において、着地した状態を示す断面図である。
【００３４】
図４（ａ）に示すように、靴を装用した状態でジャンプした後、着地前の状態では、足５の甲部分は矢印Ｃの方向である下方側に向かって移動する。
【００３５】
図４（ｂ）に示すように、靴の底面が地面に着地すると、ソール部３が、高さ方向に圧縮されて足５の甲部分の着地時の衝撃を緩和する。しかし、着地時の状態によっては、過度に足５の甲部分が左右方向へよじれたりする場合がある。
【００３６】
本実施形態においても、着地時、過度に足の甲部分が左右方向へ過度によじれた場合であっても、支持部材１が、足の左右方向への過度のよじれを防止するように支持することができるので、足の左右方向へのブレを抑制することができ、足の怪我を防止することができる。
【００３７】
本実施形態においては、ソール部３と、支持部材１とが接合されていてもよい。足５の甲部分が着地すると、ソール部３が高さ方向に圧縮されて衝撃を緩和する。更に、支持部材１がソール部３と接合されていると、ソール部３が高さ方向に圧縮されると、支持部材１がソール部３側に引き寄せられ、支持部材１が足５の甲部分と接触する。これにより、足５の甲部分は、ソール部３に接合された支持部材１により、ソール部３側の方向に抑え込まれると共に、左右方向のブレに対しては、上述のように、支持部材１が左右方向のブレを抑制することができる。
【００３８】
図示の例では、靴の高さ方向において、内側支持部材１０及び外側支持部材１１の高さは、足における中足部３２に対応する部位の底部から甲までの高さに設定したが、適宜変更可能である。例えば、内側支持部材１０及び外側支持部材１１の高さを低くすることもできる。これにより、撓みにくくなり、より大きな力に耐えることできる。
【００３９】
図５は、履物の一例である靴の方形状の足の支持部材の他の例を示す斜視図である。
【００４０】
図５に示すように、靴の長さ方向において、所定間隔を設けて中足部３２に内側支持部材１０及び外側支持部材１１を各々２つずつ配置されている。内側支持部材１０及び外側支持部材１１を靴の長さ方向において、所定間隔を設けて２つずつ配置したことにより、足の左右方向のブレを抑制できるとともに、靴の長さ方向における部材が配置されていない部分については、屈曲するようにできるため、靴の屈曲性を高めることができる。
【００４１】
図示の例では、配置される枚数は２つであるが、特に限定されず、複数であってよい。また、内側支持部材１０及び外側支持部材１１からなる複数の各部材は、一定間隔に配置してもよいし、各部材の間隔を各々変更してもよい。
【００４２】
更に、靴の長さ方向における中足部３２に所定間隔で、複数の内側支持部材１０及び外側支持部材１１を配置する構成としたが、この構成に代えて、前足部３１又は後足部３３にも内側支持部材１０及び外側支持部材１１を配置する構成としてもよい。
【００４３】
図６（ａ）、図６（ｂ）及び図６（ｃ）は、方形状の足の支持部材の更に他の一例を示す図である。
【００４４】
図６（ａ）に示すように、支持部材１は、仮想の折曲領域４ａを境に上部領域４ｂが下部領域４ｃに対して折り曲げられており、支持部材１の上部領域４ｂの長さが下部領域４ｃよりも短く形成されている。これにより、下部領域４ｃの長さを長くできるので、足の高さ方向において、足をサポートする領域を大きくすることができる。
【００４５】
また、図６（ｂ）に示すように、支持部材１は、仮想の折曲領域４ａの長さを上部領域４ｂの長さよりも長く設定することもできる。これにより、仮想の折曲領域４ａを緩やかに曲げることができるので、下部領域４ｃに対する上部領域４ｂの曲がり角度を緩やかにすることができる。この結果、支持部材１の断面形状を足の断面形状に即した形状とすることができる。
【００４６】
更に、図６（ｃ）に示すように、支持部材１には、仮想の折曲領域４ａが二つ画定されさている例が示されている。この場合、仮想の折曲領域４ａが二つ画定されていることにより、上部領域４ｂ、下部領域４ｃ、中部領域４ｄが画定されている。これにより、各々の仮想の折曲領域４ａでの折曲角度を異なる角度にすることができるので、支持部材１の形状をより足の形に近づけることができる。
【００４７】
本実施形態において、支持部材１は、仮想の折曲領域を増やしてもよい。これにより、折曲個所を増やすことができるので、足の断面形状に即した形状とすることもできる。
【００４８】
図７（ａ）は、図２（ａ）と同様に、積層体４を方形状に裁断したものを用いた例が示されており、図７（ｂ）は、図７（ａ）の積層体４によって形成された支持部材１が、足の内側から外側に渡って延設する形態が示されている。
【００４９】
図７（ａ）において、積層体４の高さ方向上方近傍、及び高さ方向下方近傍の各々に仮想の折曲領域４ａを画定されている。また、上方近傍の仮想の折曲領域４ａの高さ方向上方には上部領域４ｂ、下方近傍の仮想の折曲領域４ａの高さ方向下方には下部領域４ｃ、二つの折曲領域４ａ間には、中部領域４ｄが画定されている。
【００５０】
図７（ｂ）において、図７（ａ）で示された積層体４を、二つの仮想の折曲領域４ａを境に上部領域４ｂ及び下部領域４ｃを中部領域４ｄに対して矢印Ｄの方向に折り曲げることで、帯状の支持部材１が形成されている。図示の例では、積層体４の上部領域４ｂが外側部１３となり、下部領域４ｃが内側部１２となり、中部領域４ｄが上部１４となっている。
【００５１】
本実施形態においても、足の左右方向への動作によるブレ抑制作用については、上述のように同様に作用するため、その説明を省略する。
【００５２】
図８は、袋状体に内包された支持部材の一例であり、図８（ａ）は、支持部材が、袋状体に内包された一例が示されており、図８（ｂ）は、図８（ａ）に示す袋状体が、アッパー部材の内側面に固定された例が示されている。
【００５３】
図８（ａ）に示すように、支持部材１が袋状体１５内に内包されている。袋状体１５の形成手法は格別限定されない。
【００５４】
図８（ｂ）に示すように、支持部材１が内包された袋状体１５を、アッパー部１６の内側面に固定されている。本実施形態においては、袋状体１５をアッパー部１６の内側面に面ファスナ等により着脱可能に取り付けてもよい。これにより、靴の着用時の環境や状態に応じて、支持部材１を内包した袋状体１５を、アッパー部１６の位置を容易に変更でき、また支持部材１を内包した袋状体１５を適宜追加することもできる。
【００５５】
また、後述するように、積層体の強度を、積層体を構成する布条体の枚数に応じて変更可能であるため、使用者に応じた適切な強度の積層体で形成される支持部材を、適切な位置や適切な枚数アッパー部材に取り付けることができる。
【００５６】
本実施形態では、支持部材１が袋状体１５に内包された一例を示しているが、袋状体１５に内側支持部材１０を内包してもよいし、外側支持部材１１を内包してもよい。
【００５７】
次に、図９〜図１３は、本発明に係る帯状の支持部材を、履物の一例であるサンダルに適用した例を示している。
図９〜図１２の例では、全体を湾曲させた帯状支持部材１ｄを用い、図１３の例では、対の帯状支持部材１ｄを用いている。なお、図９〜図１３に示す帯状支持部材１ｄは、外装部材１ｅ内に内包させる構成の例で外装部材１ｅに関する記載は省略する。
【００５８】
図９に示すように、全体を湾曲させた帯状支持部材１ｄを、ソール部３の前足部から中足部にかけて設ける構成とすることで、足の甲部を安定的に保持することができる。
【００５９】
即ち、前述したようにサンダルは、足の甲部分の一部を支持する構成である。すなわち、足の甲部分の一部を支持する帯状支持部材１ｄを用いることにより、足の左右方向へのブレを抑制することができる。足の左右方向へのブレを抑制する作用については、上述の説明を援用して記載は省略する。
【００６０】
また、サンダルへの適用に際して、図１０〜図１３に示すように、サンダルの各部に用いることができる。
【００６１】
図１０は、サンダルの後足部に帯状支持部材１ｄを設けた実施形態で、全体を湾曲させた帯状支持部材１ｄをソール部３のサンダルの後足部に設ける構成としている。この帯状支持部材１ｄにより、足の踵部側の甲部分を安定保持することができる。本実施形態においても、足の左右方向への動作によるブレ抑制作用については、上述のように同様に作用するため、その説明を省略する。
【００６２】
図１１は、サンダルの後足部に帯状支持部材１ｄを設けた実施形態で、サンダルの後足部に踵のみを積極的に支持する構成としている。この帯状支持部材１ｄにより、足の踵のみを支持することができるので、足の安定保持を図ることができる。本実施形態においても、足の左右方向への動作によるブレ抑制作用については、上述のように同様に作用するため、その説明を省略する。
【００６３】
図１２は、サンダルの後足部から中足部にかけて延びる帯状支持部材１ｄを二条（対で）形成される実施形態で、全体を湾曲させた帯状支持部材１ｄを、これらを交差させるようにソール部３のサンダルの後足部に設ける構成としている。
【００６４】
この帯状支持部材１ｄにより、足の中足部から踵側の比較的広い範囲の足の甲を安定的な保持をすることができる。本実施形態においても、足の左右方向への動作によるブレ抑制作用については、上述のように同様に作用するため、その説明を省略する。
【００６５】
図１３は、サンダルの複数部位に、支持部材を用いた実施形態である。
図示の例において、１ｆは、支持部材１を帯状に形成し、これを靴のトップライン下方近傍部分を固定するトップライン帯状支持部材である。１ｇは、足の前足部から中足部に並列に設けている対の帯状支持部材１ｄ、及び前記トップライン帯状支持部材１ｆに固定される固定帯状支持部材である。固定帯状支持部材１ｇの一端は、対の帯状支持部材１ｄ間で固定されており、固定帯状支持部材１ｇの他端は、前記トップライン帯状支持部材１ｆに固定されている。また、１ｈは、後足部に設けられ、足の踵を保持する月形芯であり、１ｉは、前記トップライン帯状支持部材１ｆ及び月形芯１ｈに固定される固定帯状支持部材である。固定帯状支持部材１ｉの一端は、月形芯１ｈに固定されていると共に、他端は、トップライン帯状支持部材１ｆに固定されている。
【００６６】
このトップライン帯状支持部材１ｆは、履き口付近の足首を安定させることで、足の左右方向への動作によるブレ抑制作用をすることができる。なお、このトップライン帯状支持部材１ｆは、サンダルに使用できるほかハイカットシューズ等にも使用できるものである。
【００６７】
また、固定帯状支持部材１ｇの一端が対の帯状支持部材１ｄに固定されていることにより、対の帯状支持部材１ｄが、ひとつの幅広の支持部材１となるように機能すると共に、使用者の足先方向への足の移動を防止し、足先の甲部をしっかりと保持することができる。
【００６８】
更に、固定帯状支持部材１ｇ及び固定帯状支持部材１ｉによってトップライン帯状支持部材１ｆが固定されていることにより、トップライン帯状支持部材１ｆは、ソール部３との位置関係がより安定した状態となり、使用者の足の保持状態をより確実なものとすることができる。したがって、本実施形態においても、足の左右方向への動作によるブレ抑制作用については、上述のように同様に作用するため、その説明を省略する。
【００６９】
図１４は、対となる支持部材で前記トップライン帯状支持部材１ｆを支持したサンダルの一例である。
同図において、１ｊは、対となる支持部材であり、対となる支持部材１ｊの一端は、ソール部３のサンダルの後足部の内足側及び外足側に設けられ、他端は、前記トップライン帯状支持部材１ｆに固定されている。このトップライン帯状支持部材１ｆは、対となる支持部材１ｊにより、ソール部３との位置関係をより安定した状態とすることができるので、足首を安定させることができる。その結果、足の左右方向への動作によるブレ抑制作用をすることができる。
【００７０】
なお、図９〜図１４に示した、サンダルに用いた各支持部材は、一般的な靴のアッパー部材に内包させて芯材と使用することができる。
【００７１】
図１５は、ショートブーツ、ハイカットシューズ等に使用するショートブーツのトップライン支持部材１ｋであり、前記トップライン帯状支持部材１ｆと同様に、ショートブーツの足首の直上近傍にトップライン支持部材１ｋを設けることにより、足首を安定させることができ、その結果、足の左右方向への動作によるブレ抑制作用をすることができる。
【００７２】
図１６は、スノーブーツに適用した一例で、足の中足部からひざ下までスノーブーツのブーツ支持部材１ｍを設ける構成であり、踵から膝下に対して安定した保持を図るものである。スノーブーツのほか、スキー靴にも適用することができる。このスキー靴に適用する場合には、ブーツ支持部材１ｍよりも適切な強度の支持部材を用いることが必要である。
【００７３】
また、図９〜図１６に示した、各支持部材は、足が過度に外側へよじれることを低減できるので、足５の甲部分の怪我や故障を低減できる。さらに、図９〜図１３に示した、サンダルに用いた各支持部材は、サンダルを装用した状態でジャンプし、着地した際、足５の甲部分の甲を抑えこむことができるので、着地時における衝撃が腰や膝に伝わることを低減できる。これにより、無理な力が加わることによる怪我を防止できるとともに、着地時に足の左右方向のブレを抑制できる。
【００７４】
次に、図１７は線条体の構造例を説明する図であり、図１８は積層体の形成方法を説明する図である。
【００７５】
シート状の積層体２０は、熱可塑性樹脂を延伸して得られた線条体２１を用いて布状体２２を形成し、得られた布状体２２を複数枚積層して、加熱圧縮し、その後に冷却圧縮することで一体化されて形成される。
【００７６】
前記シート状の積層体２０は、積層される枚数によりシート状の積層体の強度を変更させることができるから、本発明の支持部材１の靴、サンダル等履き物の使用部位に応じた強度となるように、積層体の強度を革材に近い強度から皮革等では得られない高い強度とすることができる。
【００７７】
本実施形態において、線条体２１は、布状体２２を形成しうるものであれば任意であり、例えば、テープ、ヤーン、スプリットヤーン、モノフィラメント、マルチフィラメント等を用いることができる。
【００７８】
また、線条体２１を構成する熱可塑性樹脂としては、延伸効果の大きい樹脂、一般には結晶性樹脂が使用され、具体的には、高密度ポリエチレン、低密度ポリエチレン、ポリプロピレン、エチレン・プロピレンブロック共重合体等のオレフィン系重合体、ポリエチレンテレフタレート、ポリブチレンテレフタレート等のポリエステル、ナイロン６、ナイロン６６等のポリアミド等を用いることができる。
中でも加工性と経済性、更には比重の小ささから高密度ポリエチレン、低密度ポリエチレン、ポリプロピレン等の重合体が好ましい。
【００７９】
線条体２１は、一例として低融点樹脂成分と高融点樹脂成分とを含んでいることが望ましい。線条体２１を加熱して積層体を形成する際、低融点樹脂成分が溶融し、高融点樹脂成分が溶融しない程度の温度で加熱することにより、低融点樹脂成分が接触成分となり、高融点樹脂成分は強化繊維となる。
【００８０】
低融点樹脂成分及び高融点樹脂成分は、線条体２１を構成する樹脂中に本来的に含まれている低融点樹脂成分と高融点樹脂成分であってもよく、線条体２１に意図的に低融点樹脂成分の部位と高融点樹脂成分の部位とを形成したものであってもよい。
【００８１】
前者の場合では、図１７（ａ）に示すように、線条体２１は基層２１１のみの単層とすることができる。後者の場合では、図１７（ｂ）（ｃ）に示すように、線条体２１は基層２１１の片面又は両面に基層２１１よりも融点の低い熱可塑性樹脂からなる表面層２１２が積層された積層構造とすることができる。また、後者の場合には、図１７（ｄ）に示すように、基層２１１よりも融点の低い熱可塑性樹脂からなる表面層２１２が基層２１１を覆う芯鞘構造であってもよく、図１７（ｅ）に示すように、基層２１１より融点の低い熱可塑性樹脂２１３を分散させた海島構造であってもよい。
【００８２】
布状体２２は、線条体２１を用いてシート状に形成されている。布状体２２は、一例として線条体２１を織って形成されている。具体的には、布状体２２は、線条体２１を経糸及び緯糸として、平織り、綾織り、繻子織等で織られている。布状体２２は不織布として構成されていてもよい。
【００８３】
図１８（ａ）において、複数枚の布状体２２の間には、樹脂フィルム２３が配置されている。この状態で、複数枚の布状体２２及び樹脂フィルム２３を加熱圧縮し、その後、冷却圧縮することで、図１８（ｂ）に示す積層体２０が形成される。
【００８４】
このように形成された積層体２０は、所望のサイズ及び所望の形状に裁断することにより、本実施形態に係る支持部材を形成することができる。また、本実施形態に係る支持部材が、本実施形態に係る積層体２０で形成されることにより、軽量、且つ高い剛性が得られ、所望のサイズ及び所望の形状で履物に用いられることにより、足の左右方向のブレを抑制することができる。
【符号の説明】
【００８５】
１  支持部材
１ａ  折曲領域
１ｂ  上部領域
１ｃ  下部領域
１ｄ  帯状支持部材
１ｅ  外装部材
１ｆ  トップライン帯状支持部材
１ｇ  固定帯状支持部材
１ｈ  月形芯
１ｉ  接続支持部材
１ｊ  対となる支持部材
１ｋ  トップライン支持部材
１ｍ  ブーツ支持部材
３  ソール部
３１  前足部
３２  中足部
３３  後足部
４  積層体
４ａ  折曲領域
４ｂ  上部領域
４ｃ  下部領域
５  足
１０  内側支持部材
１１  外側支持部材
１２  内側部
１３  外側部
１４  上部
１５  袋状体
１６  アッパー部
２０  積層体
２１  線条体
２１１  基層
２１２  表面層
２１３  熱可塑性樹脂
２２  布状体
２３  樹脂フィルム
【図１】
2020185340.tif 000003
【図２】
2020185340.tif 000004
【図３】
2020185340.tif 000005
【図４】
2020185340.tif 000006
【図５】
2020185340.tif 000007
【図６】
2020185340.tif 000008
【図７】
2020185340.tif 000009
【図８】
2020185340.tif 000010
【図９】
2020185340.tif 000011
【図１０】
2020185340.tif 000012
【図１１】
2020185340.tif 000013
【図１２】
2020185340.tif 000014
【図１３】
2020185340.tif 000015
【図１４】
2020185340.tif 000016
【図１５】
2020185340.tif 000017
【図１６】
2020185340.tif 000018
【図１７】
2020185340.tif 000019
【図１８】
2020185340.tif 000020